(57)【要約】【課題】  電力の需要家に設けられた機器を管理する機器管理システムにおいて、機器の適切な管理を図る表示装置及び表示方法を提供する。【解決手段】  表示装置３００は、ネットワークを介して接続された機器１００と所定の通信プロトコルに対応するメッセージの送受信を行う。表示装置３００は、機器１００の情報を取得する制御部３３０と、機器１００の情報を表示する表示部３４０とを備える。所定の通信プロトコルに対応し、機器１００から取得した情報を管理するＥＭＳ２００がネットワークに接続されている場合に、制御部３３０は、機器１００の情報をＥＭＳ２００から取得する第１モードで動作し、ＥＭＳ２００がネットワークに接続されていない場合に、制御部３３０は、機器１００の情報を機器１００から取得する第２モードで動作する。【選択図】  図３
2015141631.tif 000002
【特許請求の範囲】
【請求項１】
電力の需要家に設けられたネットワークを介して接続された機器と所定の通信プロトコルに対応するメッセージの送受信を行う表示装置であって、
前記機器の情報を取得する制御部と、
前記機器の情報を表示する表示部とを備え、
前記所定の通信プロトコルに対応し、前記機器から取得した情報を管理する機器管理装置が前記ネットワークに接続されている場合に、前記制御部は、前記機器の情報を前記機器管理装置から取得する第１モードで動作し、
前記機器管理装置が前記ネットワークに接続されていない場合に、前記制御部は、前記機器の情報を前記機器から取得する第２モードで動作することを特徴とする表示装置。
【請求項２】
前記第１モードにおいて、前記制御部は、前記機器の情報を要求する機器情報要求メッセージを前記機器管理装置に送信し、
前記表示部は、前記機器情報要求メッセージに応じて受信した機器情報応答メッセージに含まれる前記機器の情報を表示することを特徴とする請求項１に記載の表示装置。
【請求項３】
前記所定の通信プロトコルに対応する複数の機器が、前記ネットワークに接続され、
前記第１モードにおいて、前記制御部は、前記複数の機器の情報が集計された集計情報を要求する集計情報要求メッセージを、前記機器管理装置に送信し、
前記表示部は、前記集計情報要求メッセージに応じて受信した集計情報応答メッセージに含まれる前記集計情報を表示することを特徴とする請求項１又は２に記載の表示装置。
【請求項４】
前記第１モードにおいて、前記制御部は、前記機器管理装置が管理する情報を示す管理情報リストを前記機器管理装置から取得し、前記管理情報リストに基づいて、前記機器管理装置が前記集計情報を管理していると判断する場合に、前記集計情報要求メッセージを前記機器管理装置に送信することを特徴とする請求項３に記載の表示装置。
【請求項５】
前記機器に対する操作指示を入力する入力部をさらに備え、
前記第１モードにおいて、前記制御部は、前記操作指示を含む操作指示メッセージを前記機器管理装置に送信することを特徴とする請求項１に記載の表示装置。
【請求項６】
前記所定の通信プロトコルは、ＥＣＨＯＮＥＴ  Ｌｉｔｅ（登録商標）であることを特徴とする請求項１乃至５のいずれか１項に記載の表示装置。
【請求項７】
電力の需要家に設けられたネットワークを介して接続された機器と所定の通信プロトコルに対応するメッセージの送受信を行う表示装置に適用される表示方法であって、
前記機器の情報を取得するステップと、
前記機器の情報を表示するステップとを備え、
前記所定の通信プロトコルに対応し、前記機器から取得した情報を管理する機器管理装置が前記ネットワークに接続されている場合に、前記機器の情報を前記機器管理装置から取得する第１モードで動作し、
前記機器管理装置が前記ネットワークに接続されていない場合に、前記制御部は、前記機器の情報を前記機器から取得する第２モードで動作することを特徴とする表示方法。
【発明の詳細な説明】
【技術分野】
【０００１】
本発明は、電力の需要家に設けられた機器を管理する機器管理システムにおける表示装置及び表示方法に関する。
【背景技術】
【０００２】
近年、電力の需要家に設けられた機器と、機器の情報を表示する表示装置と、機器を管理する機器管理装置とがネットワークで接続される機器管理システムが提案されている（例えば、特許文献１）。機器は、例えば、電力を消費して動作する負荷（例えば、エアコン、照明又は冷蔵庫等）、又は電力を出力する分散電源（例えば、太陽光発電装置、蓄電池装置、又は燃料電池装置等）である。機器管理装置は、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。表示装置は、例えば、パソコン、タブレット端末又はスマートフォン等である。
【０００３】
機器管理システムの普及には、機器、表示装置及び機器管理装置が、所定の通信プロトコルに対応していることが好ましい。このような通信プロトコルとして、例えば、ＥＣＨＯＮＥＴ  Ｌｉｔｅ（登録商標）が知られている。
【先行技術文献】
【特許文献】
【０００４】
【特許文献１】特開２０１０−１２８８１０号公報
【発明の概要】
【発明が解決しようとする課題】
【０００５】
今後、機器管理システムの普及に伴い、所定の通信プロトコルに対応する機器及び表示装置の増加が予測される。
【０００６】
ここで、表示装置は、機器の情報を取得するために、ネットワークを介して機器にアクセスする。つまり、複数の表示装置が機器管理システムに含まれる場合、表示装置の数に応じてトラフィックが増加する。また、機器管理システムに含まれる機器が増加すると、トラフィックはさらに増加する。このため、機器管理システムに含まれる機器及び表示装置が増加すると、機器の管理に支障が生じるおそれがある。
【０００７】
そこで、本発明は、上述した課題を解決するためになされたものであり、電力の需要家に設けられた機器を管理する機器管理システムにおいて、機器の適切な管理を図る表示装置及び表示方法を提供することを目的とする。
【課題を解決するための手段】
【０００８】
第１の特徴に係る表示装置は、電力の需要家に設けられたネットワークを介して接続された機器と所定の通信プロトコルに対応するメッセージの送受信を行う。表示装置は、前記機器の情報を取得する制御部と、前記機器の情報を表示する表示部とを備える。前記所定の通信プロトコルに対応し、前記機器から取得した情報を管理する機器管理装置が前記ネットワークに接続されている場合に、前記制御部は、前記機器の情報を前記機器管理装置から取得する第１モードで動作し、前記機器管理装置が前記ネットワークに接続されていない場合に、前記制御部は、前記機器の情報を前記機器から取得する第２モードで動作する。
【０００９】
第１の特徴において、前記第１モードにおいて、前記制御部は、前記機器の情報を要求する機器情報要求メッセージを前記機器管理装置に送信し、前記表示部は、前記機器情報要求メッセージに応じて受信した機器情報応答メッセージに含まれる前記機器の情報を表示する。
【００１０】
第１の特徴において、前記所定の通信プロトコルに対応する複数の機器が、前記ネットワークに接続され、前記第１モードにおいて、前記制御部は、前記複数の機器の情報が集計された集計情報を要求する集計情報要求メッセージを、前記機器管理装置に送信し、前記表示部は、前記集計情報要求メッセージに応じて受信した集計情報応答メッセージに含まれる前記集計情報を表示する。
【００１１】
第１の特徴において、前記第１モードにおいて、前記制御部は、前記機器管理装置が管理する情報を示す管理情報リストを前記機器管理装置から取得し、前記管理情報リストに基づいて、前記機器管理装置が前記集計情報を管理していると判断する場合に、前記集計情報要求メッセージを前記機器管理装置に送信する。
【００１２】
第１の特徴において、前記機器に対する操作指示を入力する入力部をさらに備え、前記第１モードにおいて、前記制御部は、前記操作指示を含む操作指示メッセージを前記機器管理装置に送信する。
【００１３】
第１の特徴において、前記所定の通信プロトコルは、ＥＣＨＯＮＥＴ  Ｌｉｔｅ（登録商標）である。
【００１４】
第２の特徴に係る表示方法は、電力の需要家に設けられたネットワークを介して接続された機器と所定の通信プロトコルに対応するメッセージの送受信を行う表示装置に適用される表示方法である。表示方法は、前記機器の情報を取得するステップと、前記機器の情報を表示するステップとを備える。前記所定の通信プロトコルに対応し、前記機器から取得した情報を管理する機器管理装置が前記ネットワークに接続されている場合に、前記機器の情報を前記機器管理装置から取得する第１モードで動作し、前記機器管理装置が前記ネットワークに接続されていない場合に、前記制御部は、前記機器の情報を前記機器から取得する第２モードで動作する。
【発明の効果】
【００１５】
本発明によれば、電力の需要家に設けられた機器を管理する機器管理システムにおいて、機器の適切な管理を図る表示装置及び表示方法を提供することができる。
【図面の簡単な説明】
【００１６】
【図１】図１は、本実施形態に係る機器管理システムを示す図である。
【図２】図２は、本実施形態に係るＥＭＳを示すブロック図である。
【図３】図３は、本実施形態に係る表示装置を示すブロック図である。
【図４】図４は、本実施形態に係る表示方法を示すシーケンス図である。
【図５】図５は、本実施形態に係る表示方法を示すシーケンス図である。
【発明を実施するための形態】
【００１７】
以下において、本発明の実施形態に係る制御システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る表示装置は、電力の需要家に設けられたネットワークを介して接続された機器と所定の通信プロトコルに対応するメッセージの送受信を行う。表示装置は、前記機器の情報を取得する制御部と、前記機器の情報を表示する表示部とを備える。前記所定の通信プロトコルに対応し、前記機器から取得した情報を管理する機器管理装置が前記ネットワークに接続されている場合に、前記制御部は、前記機器の情報を前記機器管理装置から取得する第１モードで動作し、前記機器管理装置が前記ネットワークに接続されていない場合に、前記制御部は、前記機器の情報を前記機器から取得する第２モードで動作する。
【００２０】
実施形態では、表示装置は、第１モード又は第２モードのいずれかで動作する。すなわち、所定の通信プロトコルに対応する機器管理装置がネットワークに接続されている場合には、表示装置は、機器の情報を機器管理装置から取得する。これにより、ネットワークに接続される機器及び表示装置が増加によるトラフィックの増加を抑制することができる。また、機器管理装置がネットワークに接続されていない場合には、機器の情報を機器から取得する。これにより、例えば機器管理装置が停止している場合でも、機器の情報を取得することができる。従って、電力の需要家に設けられた機器を管理する機器管理システムにおいて、機器の適切な管理を図る表示装置及び表示方法を提供することができる。
【００２１】
［本実施形態］
（制御システム）
以下において、本実施形態に係る機器管理システムについて説明する。図１は、本実施形態に係る機器管理システム１０を示す図である。
【００２２】
図１に示すように、機器管理システム１０は、機器１００と、ＥＭＳ２００と、表示装置３００とを有する。図１では、信号が伝達される信号線を実線で、電力が伝達される電力線を破線で示す。信号線は、有線であってもよく、無線であってもよい。
【００２３】
機器１００は、例えば、電力を消費して動作する負荷、又は電力を出力する分散電源である。負荷は、電力線を介して供給を受ける電力を消費する装置である。負荷は、例えば、冷蔵庫、冷凍庫、照明又はエアコンなどの家電機器である。分散電源は、例えば、太陽光発電装置（ＰＶ装置）、蓄電池装置又は燃料電池装置である。図１では、機器１００の例として、ＰＶ装置１１０、蓄電池装置１２０及び照明１３０が示される。
【００２４】
分電盤５００は、配電線１（系統）に接続されている。分電盤５００は、電力線を介して、機器１００（ＰＶ装置１１０、蓄電池装置１２０及び照明１３０）に接続されている。
【００２５】
ＰＶ装置１１０は、太陽光の受光に応じて発電を行う太陽光発電装置である。ＰＶ装置１１０は、発電されたＤＣ電力をＡＣ電力に変換し、電力線を介してＡＣ電力を分電盤５００に出力する。ＰＶ装置１１０の発電量は、日射量に応じて変化する。
【００２６】
蓄電池装置１２０は、電力を蓄積する装置である。蓄電池装置１２０は、系統１から供給されたＡＣ電力をＤＣ電力に変換し、ＤＣ電力を蓄積する。また、蓄電池装置１４０は、出力されたＤＣ電力をＡＣ電力に変換し、電力線を介してＡＣ電力を分電盤５００に出力する。
【００２７】
照明１３０は、分電盤５００から出力された電力を消費して動作する。
【００２８】
ＥＭＳ２００は、機器１００の制御及び管理を行う機器管理装置（Ｅｎｅｒｇｙ  Ｍａｎａｇｅｍｅｎｔ  Ｓｙｓｔｅｍ）の一例である。
【００２９】
ＥＭＳ２００は、需要家に設けられたネットワークを介して、ＰＶ装置１１０、蓄電池装置１２０及び照明１３０と接続されている。ネットワークは、例えばホームエリアネットワークであり、具体的には、ルータ４００及び電力線等を含む。
【００３０】
ＥＭＳ２００は、機器１００との間で所定の通信プロトコルに対応するメッセージの送受信を行う。これにより、ＥＭＳ２００は、機器１００の制御及び管理を行う。所定の通信プロトコルとしては、例えば、ＥＣＨＯＮＥＴ  Ｌｉｔｅ（登録商標）が挙げられる。ＥＣＨＯＮＥＴ  Ｌｉｔｅ（登録商標）をサポートする機器１００及びＥＭＳ２００は、ＥＣＨＯＮＥＴ  Ｌｉｔｅ（登録商標）において規定されるＥＣＨＯＮＥＴ  Ｌｉｔｅ（登録商標）ノードに相当する。
【００３１】
ＥＭＳ２００は、機器１００の情報を取得することによって、機器１００を管理する。機器１００の情報は、例えば、機器１００のスペック（メーカーコード、製造番号、機種、定格出力又は定格消費電力等）を示すスペック情報と、機器１００のステータス（電源、設定温度、出力又は消費電力、及び動作モード等）を示すステータス情報とを含む。
【００３２】
ＥＭＳ２００は、後述する表示装置３００との間で所定の通信プロトコルに対応するメッセージの送受信を行う。
【００３３】
ＥＭＳ２００は、インターネット等の外部ネットワークを介して、各種サーバと接続されてもよい。ＥＭＳ２００は、例えば、系統１からの買電単価及び系統１への売電単などの情報を、各種サーバから取得してもよい。
【００３４】
表示装置３００は、機器１００との間で所定の通信プロトコルに対応するメッセージの送受信を行う。これにより、表示装置３００は、機器１００の情報を表示する。表示装置３００は、機器１００の情報をウェブブラウザによって表示する。あるいは、表示装置３００は、機器１００の情報を可視化するための可視化情報を生成して、可視化情報を表示する。表示装置３００は、例えば、パソコン３０１、タブレット端末３０２、スマートフォン３０３又はテレビ３０４等である。
【００３５】
（ＥＭＳの構成）
以下において、本実施形態に係るＥＭＳについて説明する。図２は、本実施形態に係るＥＭＳ２００を示すブロック図である。
【００３６】
図２に示すように、ＥＭＳ２００は、通信部２１０と、記憶部２２０と、制御部２３０とを有する。
【００３７】
通信部２１０は、機器１００との間で、ネットワークを介して所定の通信プロトコルに対応するメッセージの送受信を行う。
【００３８】
通信部２１０は、機器１００の制御及び管理に必要な情報を、外部ネットワークを介して各種サーバから受信してもよい。
【００３９】
記憶部２２０は、機器１００の制御及び管理に必要な情報を記憶する。例えば、記憶部２２０は、機器１００から取得した機器１００の情報を記憶する。
【００４０】
制御部２３０は、通信部２１０及び記憶部２２０を制御する。
【００４１】
また、制御部２３０は、所定の通信プロトコルに対応するメッセージを生成し、通信部２１０を介して表示装置３００に送信する。具体的には、制御部２３０は、表示装置３００から機器情報要求メッセージを受信した場合には、機器情報要求メッセージにおいて特定される機器１００の情報を記憶部２２０から抽出し、抽出した情報を含む機器情報応答メッセージを生成し、表示装置３００に送信する。ここで、ＥＭＳ２００は、機器１００の情報の可視化情報をＨＴＭＬ等の形式で生成し、ネットワークを介して可視化情報を表示装置３００に送信してもよい。
【００４２】
ＥＭＳ２００は、所定の通信プロトコルに対応しない機器の情報をさらに管理してもよい。この場合、制御部２３０は、所定の通信プロトコルに対応しない機器から、上述したネットワークとは別の通信線を介して、所定の通信プロトコルに対応しない機器の情報を取得し、取得した情報を記憶部２２０に記憶させる。制御部２３０は、所定の通信プロトコルに対応しない機器についての機器情報要求メッセージを表示装置３００から受信した場合には、所定の通信プロトコルに対応しない機器の情報を含む機器情報応答メッセージを生成し、機器情報応答メッセージを表示装置３００に送信する。換言すると、ＥＭＳ２００は、所定の通信プロトコルに対応しない機器のアダプタとして、所定の通信プロトコルに対応しない機器の代わりに表示装置２００と通信を行う。
【００４３】
（表示装置の構成）
以下において、本実施形態に係る表示装置について説明する。図３は、本実施形態に係る表示装置３００を示すブロック図である。
【００４４】
図３に示すように、表示装置３００は、通信部３１０と、記憶部３２０と、制御部３３０と、表示部３４０と、入力部３５０とを有する。
【００４５】
通信部３１０は、機器１００及びＥＭＳ２００と、所定の通信プロトコルに対応するメッセージの送受信を行う。
【００４６】
記憶部３２０は、通信部３１０を介して取得した機器１００の情報を記憶する。
【００４７】
制御部３３０は、通信部３１０、記憶部３２０及び表示部３４０を制御する。
【００４８】
制御部３３０は、機器１００の情報を取得する。具体的には、制御部３３０は、所定の通信プロトコルに対応するメッセージを生成し、通信部２１０を介してメッセージを機器１００に送信する。制御部３３０は、例えば、後述する入力部３５０を介して入力された情報に基づいて、表示部３４０に表示させる情報を要求する機器情報要求メッセージを生成する。
【００４９】
ここで、制御部３３０は、所定の通信プロトコルに対応し、機器１００から取得した情報を管理する機器管理装置（ＥＭＳ２００）がネットワークに接続されている場合に、制御部３３０は、機器１００の情報をＥＭＳ２００から取得する第１モードで動作し、ＥＭＳ２００がネットワークに接続されていない場合に、制御部３３０は、機器１００の情報を機器１００から取得する第２モードで動作する。
【００５０】
具体的には、第１モードにおいて、制御部３３０は、機器１００の情報を要求する機器情報要求メッセージをＥＭＳ２００に送信し、第２モードにおいて、制御部３３０は、機器１００の情報を要求する機器情報要求メッセージを機器１００に送信する。
【００５１】
また、所定の通信プロトコルに対応する複数の機器１００がネットワークに接続されている場合、第１モードにおいて、制御部３３０は、複数の機器１００の情報が集計された集計情報を要求する集計情報要求メッセージを、ＥＭＳ２００に送信してもよい。集計情報は、例えば、同じ種別の機器についてのステータス情報の中で集計可能な情報（例えば、発電量情報又は消費電力情報等）を集計した情報である。具体的には、第１モードにおいて、制御部３３０は、ＥＭＳ２００が管理する情報を示す管理情報リストをＥＭＳ２００から取得し、管理情報リストに基づいて、ＥＭＳ２００が集計情報を管理していると判断する場合に、集計情報要求メッセージをＥＭＳ２００に送信する。
【００５２】
また、第１モードにおいて、制御部３３０は、操作指示を含む操作指示メッセージをＥＭＳ２００に送信し、第２モードにおいて、制御部３３０は、操作指示メッセージを機器１００に送信する。具体的には、制御部３３０は、後述する入力部３５０を介して入力された情報に基づいて、機器１００に対する操作指示を含む操作指示メッセージを生成する。
【００５３】
表示部３４０は、機器１００の情報を表示する。具体的には、表示部３３０は、機器情報要求メッセージに応じて受信した機器情報応答メッセージに含まれる機器１００の情報を表示し、第１モードにおいて、制御部３３０は、操作指示を含む操作指示メッセージを機器１００に送信する。
【００５４】
また、所定の通信プロトコルに対応する複数の機器１００がネットワークに接続されている場合、第１モードにおいて、表示部３４０は、上述した集計情報要求メッセージに応じて受信した集計情報応答メッセージに含まれる集計情報を表示する。
【００５５】
入力部３５０は、ユーザが機器１００の管理又は制御のための情報を入力するためのキーボード等である。ユーザは、例えば、入力部３５０を介して、表示部３４０に表示させる情報を特定するための情報を入力する。あるいは、ユーザは、入力部３５０を介して、機器１００に対する操作指示を入力する。入力部３５０は、例えばタッチパネルのように、表示部３４０と一体化されていてもよい。
【００５６】
（表示方法）
以下において、本実施形態に係る制御方法について説明する。図４〜図５は、本実施形態に係る表示方法を示すシーケンス図である。
【００５７】
まず、図４を参照して、表示装置３００が機器１００の情報を取得し、取得した情報を表示するケースについて説明する。図４に示すように、ステップＳ１１０において、表示装置３００は、サーチ信号の同報送信を行う。これにより、ネットワークに接続された機器の中で、所定の通信プロトコルに対応する機器の有無をサーチする。所定の通信プロトコルに対応する機器（すなわち、機器１００及びＥＭＳ２００）は、ステップＳ１２０において、サーチ信号への応答信号を表示装置３００に送信する。
【００５８】
ステップＳ１３０において、表示装置３００は、サーチ信号への応答信号の送信元機器に対して、インスタンスリスト要求メッセージを送信する。インスタンスリストは、所定の通信プロトコルにおいて規定されたグループ（クラス）に従って、機器が搭載するインスタンスを示すリストである（例えば、家庭用エアコンクラス等）。インスタンスリスト要求メッセージを受信した機器は、ステップＳ１４０において、インスタンスリストを含む応答メッセージを表示装置３００に送信する。
【００５９】
ステップＳ１５０において、表示装置３００は、サーチ信号への応答信号の送信元機器に対して、プロパティリスト要求メッセージを送信する。プロパティリストは、機器が対応する機能（プロパティ）を、所定の通信プロトコルにおいて規定されたコードに従って示すリストである。プロパティリスト要求メッセージを受信した機器は、ステップＳ１６０において、プロパティリストを含む応答メッセージを表示装置３００に送信する。ここで、所定の通信プロトコルにおいて、機器のプロパティをユーザによって独自に定義可能な場合は、プロパティリストは、ユーザによって独自に定義されたプロパティを示す領域を含む。
【００６０】
ステップＳ１７０において、表示装置３００は、ＥＭＳ２００がネットワークに接続されているか否かを判定する。具体的には、表示装置３００は、ステップＳ１４０で取得したインスタンスリストに基づいて、ネットワークにおける機器管理装置（コントローラ関連機器クラス）に相当する機器の有無を判定する。判定結果がＹＥＳの場合、表示装置３００は、ステップＳ１８０の処理を行う。
【００６１】
本実施形態では、ＥＭＳ２００がネットワークに接続されているため、以下、ステップＳ１７０の判定結果がＹＥＳであった場合、すなわち、表示装置３００が第１モードで動作する場合について説明する。判定結果がＮＯの場合、表示装置３００は、処理を終了し、機器の情報を機器から取得する第２モードで動作する。
【００６２】
ステップＳ１８０において、表示装置３００は、機器１００の情報を要求する機器情報要求メッセージをＥＭＳ２００に送信する。ここで、機器１００の情報とは、機器１００のステータス情報（例えば、電源情報又は発電量情報等）であるものとして説明する。機器情報要求メッセージは、例えば、送信先機器であるＥＭＳ２００の識別情報と、要求される情報に対応する機器１００の識別情報と、要求される情報を特定するコードとを含む。
【００６３】
ステップＳ１９０において、ＥＭＳ２００は、機器情報応答メッセージを表示装置３００に送信する。具体的には、ＥＭＳ２００は、ＥＭＳ２００に記憶された機器１００の情報の中から、機器情報要求メッセージにおいて特定される情報を抽出し、抽出した情報を含む機器情報応答メッセージを生成する。ステップＳ２００において、表示装置３００は、受信した機器情報応答メッセージに含まれる機器１００の情報を表示する。
【００６４】
ここで、複数の機器１００がネットワークに接続され、ＥＭＳ２００が複数の機器１００の情報が集計された集計情報を管理する場合には、ステップＳ１８０において、表示装置３００は、機器情報要求メッセージに代えて、集計情報を要求する集計情報要求メッセージをＥＭＳ２００に送信してもよい。表示装置３００は、ステップＳ１６０で取得したプロパティリストに基づいて、ＥＭＳ２００が集計情報を管理するか否かを判断する。表示装置３００が集計情報要求メッセージをＥＭＳ２００に送信した場合、ＥＭＳ２００は集計情報応答メッセージを表示装置３００に送信し（ステップＳ１９０）、表示装置３００は集計情報要求メッセージに含まれる集計情報を表示する。
【００６５】
次に、図５を参照して、表示装置３００が機器１００に対する操作指示を送信するケースについて説明する。ここで、図４に示すステップＳ１１０〜Ｓ１７０の処理は、図５に示すケースにおいても同様に行われているものとする。また、図５では、図４に示すケースと同様に、ＥＭＳ２００がネットワークに接続され、表示装置３００が第１モードで動作する場合について説明する。
【００６６】
ステップＳ２１０において、表示装置３００は、機器１００に対する操作指示を含む操作指示メッセージをＥＭＳ２００に送信する。
【００６７】
ステップＳ２１１において、ＥＭＳ２００は、機器１００に操作指示メッセージを送信する。
【００６８】
ステップＳ２２０において、機器１００は、操作指示メッセージにおいて特定された操作を実行する。
【００６９】
ステップＳ２３０において、機器１００は、操作指示メッセージにおいて特定された操作を実行したことを示す操作指示応答メッセージをＥＭＳ２００に送信する。
【００７０】
ステップＳ２３１において、ＥＭＳ２００は、操作指示応答メッセージを表示装置３００に送信する。
【００７１】
以上説明したように、本実施形態では、表示装置は、第１モード又は第２モードのいずれかで動作する。すなわち、所定の通信プロトコルに対応する機器管理装置がネットワークに接続されている場合には、表示装置は、機器の情報を機器管理装置から取得する。これにより、ネットワークに接続される機器及び表示装置が増加によるトラフィックの増加を抑制することができる。また、機器管理装置がネットワークに接続されていない場合には、機器の方法を機器から取得する。これにより、例えば機器管理装置が停止している場合でも、機器の情報を取得することができる。従って、電力の需要家に設けられた機器を管理する機器管理システムにおいて、機器の適切な管理を図ることができる。
【００７２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７３】
実施形態では、所定の通信プロトコルとして、ＥＣＨＯＮＥＴ  Ｌｉｔｅ（登録商標）を例示した。しかしながら、実施形態は、これに限定されるものではなく、所定の通信プロトコルとして、ＥＣＨＯＮＥＴ  Ｌｉｔｅ（登録商標）以外の通信プロトコル（例えば、ＺｉｇＢｅｅ（登録商標）又はＫＮＸ等）を用いてもよい。あるいは、所定の通信プロトコルとして、ＥＣＨＯＮＥＴ  Ｌｉｔｅ（登録商標）と他の通信プロトコルとを組み合わせて用いてもよい。
【００７４】
実施形態では特に言及していないが、所定の通信プロトコルに対応するメッセージは、送信元ノードの識別情報及びメッセージの参照番号等を示すフィールド等をさらに有することに留意すべきである。
【００７５】
ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。
【００７６】
実施形態では、表示装置３００は、所定の通信プロトコルに対応する機器１００（ＰＶ装置１１０、蓄電池装置１２０及び照明１３０）の情報を表示するものとして説明した。しかしながら、実施形態はこれに限定されるものではなく、所定の通信プロトコルに対応しない機器が需要家に設けられ、これらの機器の情報がＥＭＳ２００によって管理されている場合、表示装置３００は、所定の通信プロトコルに対応しない機器の情報をＥＭＳ２００から取得し、取得した情報を表示してもよい。ここで、所定の通信プロトコルに対応する機器１００と所定の通信プロトコルに対応しない機器とが、同じ種別の機器を含む場合には、表示装置３００は、これらの機器の情報（例えば、発電量情報又は消費電力情報等）が集計された情報を、集計情報として表示してもよい。これにより、需要家に設けられた機器が所定の通信プロトコルに対応するか否かにかかわらず、ユーザは、同じ種別の機器の集計情報を、表示装置３００を介して把握することができる。
【００７７】
実施形態では、ＥＭＳ２００は、機器情報要求メッセージ受信時（図４のステップＳ１８０）に、ＥＭＳ２００に記憶された機器１００の情報の中から、機器情報要求メッセージにおいて特定される情報を抽出するものとして説明した。しかしながら、実施形態はこれに限定されるものではなく、ＥＭＳ２００は、機器情報要求メッセージ受信時に、対象の機器１００に機器情報要求メッセージを送信し、機器１００の情報を取得してもよい。
【符号の説明】
【００７８】
１…系統、１０…機器管理システム、１００…機器、２００…ＥＭＳ、２１０…通信部、２２０…記憶部、２３０…制御部、３００…表示装置、３１０…通信部、３２０…記憶部、３３０…制御部、３４０…表示部、３５０…入力部、４００…ルータ、５００…分電盤
【図１】
2015141631.tif 000003
【図２】
2015141631.tif 000004
【図３】
2015141631.tif 000005
【図４】
2015141631.tif 000006
【図５】
2015141631.tif 000007